(57)【要約】      （修正有）【課題】洗浄等の激しい動きにも対応でき、特に指先を自由に動かすことができ、更に使用中に手袋内に水等が入り込みにくい手袋を提供する。【解決手段】５本の指部を備えた手の平部及び前記手の平部に接続した手首部からなり、各指部の先端部分、指部全体又は手の平部のいずれかを他の部位よりも薄くし、前記手首部を肘まで覆う長さとし、前記手首部の径を一定としたことを特徴とする。【選択図】図１
0003153716.tif 000002
【実用新案登録請求の範囲】
【請求項１】
５本の指部を備えた手の平部及び前記手の平部に接続した手首部からなり、各指部の先端部分、指部全体又は手の平部のいずれかを他の部位よりも薄くしたことを特徴とする手袋。
【請求項２】
前記手首部を、肘まで覆う長さとしたことを特徴とする請求項１に記載の手袋。
【請求項３】
前記手首部の径を一定としたことを特徴とする請求項１又は請求項２のいずれか１項に記載の手袋。
【考案の詳細な説明】
【技術分野】
【０００１】
本考案は、装着後も手や指を自由に動かすことができる手袋に関する。
【背景技術】
【０００２】
従来、水回りの洗浄時には厚みのあるゴム製の手袋が使用され、工場等などでは使い捨ての薄いビニール手袋等が使用されていた。
【０００３】
しかしながら、従来のゴム製手袋は水や薬剤が直接肌に付かないことを主な目的としているため、かなりの厚みがあり、手や指が動かしにくいものであった。
【０００４】
また、図１０に示したように、手や腕を挿入する開口部付近が大きく開いているため水などが入り込みやすく、その上長い間使用した場合には手首部分が緩くなり、使用の途中でズレ落ちるため、さらに水等が手袋内に入り込みやすくなるものであった。
【０００５】
一方、使い捨ての薄いビニール手袋では手や指の動かしやすさは改善されたが、耐久性が低いために破れやすく、洗浄等の激しい動きには不向きなものであった。
【先行技術文献】
【特許文献】
【０００６】
【特許文献１】特開２００４−６００８７号公報
【考案の概要】
【考案が解決しようとする課題】
【０００７】
そこで、本考案は、洗浄等の激しい動きにも対応でき、特に指先を自由に動かすことができ、更に使用中に手袋内に水等が入り込みにくい手袋を提供することを目的とするものである。
【課題を解決するための手段】
【０００８】
本考案は、上記の課題を解決するために、５本の指部を備えた手の平部及び前記手の平部に接続した手首部からなり、各指部の先端部分、指部全体又は手の平部のいずれかを他の部位よりも薄くしたことを特徴とする手袋と、
前記手首部を、肘まで覆う長さとしたことを特徴とする手袋と、
前記手首部の径を一定としたことを特徴とする手袋の構成とした。
【考案の効果】
【０００９】
本考案である手袋は、手、指又は指先部分が薄くなっているため手や指先を自由に動かすことができる。
【００１０】
また、手首部分が長く、手首部分から開口部にかけて厚くなっているため手袋の使用中にズレ落ちることがなく、手袋内に水等の入り込みにくい。
【００１１】
更に、耐久性に優れているため、洗浄などの激しい動きでも破れにくく、安心して使用することができる。
【図面の簡単な説明】
【００１２】
【図１】本考案である手袋の正面図である。
【図２】本考案である手袋のＡ−Ａ線断面図である。
【図３】本考案である手袋の第２実施例の正面図である。
【図４】本考案である手袋の第２実施例のＢ−Ｂ線断面図である。
【図５】本考案である手袋の第３実施例の正面図である。
【図６】本考案である手袋の第３実施例のＣ−Ｃ線断面図である。
【図７】本考案である手袋の第４実施例の正面図である。
【図８】本考案である手袋の第４実施例のＤ−Ｄ線断面図である。
【図９】本考案を使用した状態を示した図である。
【図１０】従来の手袋を使用した状態を示した図である。
【考案を実施するための形態】
【００１３】
以下に、添付図面に基づいて、本考案である手袋について詳細に説明する。
【実施例１】
【００１４】
図１は本考案である手袋の正面図、図２は本考案である手袋のＡ−Ａ線断面図である。図１及び図２に示すように、本考案である手袋１は、５本の指部（親指部２ａ、人差し指部２ｂ、中指部２ｃ、薬指部２ｄ、小指部２ｅ）を備えた手の平部２ｆと、前記手の平部２ｆに接続した手首部２ｇからなる。
【００１５】
前記各指部２ａ〜２ｅの厚みは、前記手の平部２ｆ及び前記手首部２ｇの厚みよりも薄く、本考案の手袋１を装着した際に各指部が動かしやすい構造をしている。
【００１６】
前記手首部２ｇの下端は開口部２ｈとなっており、この開口部２ｈから手及び腕を挿入して本考案の手袋１を装着する。
【００１７】
前記手首部２ｇは開口部２ｈに向かうにつれて径が大きくなり末広がりの形状をしていいる。また、図１上では、前記開口部２ｈの縁を波形にしているが、特に限定したものではなく、平らであっても構わない。
【実施例２】
【００１８】
図３は本考案である手袋の第２実施例の正面図、図４は本考案である手袋の第２実施例のＢ−Ｂ線断面図である。
【００１９】
図３及び図４に示すように、本考案である手袋１ａは、実施例１に示した手袋１とほぼ同じ構造をしている。即ち、本考案である手袋１ａは、５本の指部（親指部２ａ、人差し指部２ｂ、中指部２ｃ、薬指部２ｄ、小指部２ｅ）を備えた手の平部２ｆと、前記手の平部２ｆに接続した手首部２ｇからなり、前記手首部２ｇの径が一定である。
【００２０】
前述のように、手首部２ｇの径を一定とすることにより、本考案を使用時に手首部２ｇが手の平部２ｆ方向にズレ落ちることがなく、また、反転して捲れることがない。そのため、手袋１ａ内に水や洗剤等が入り込みにくくなる。
【実施例３】
【００２１】
図５は本考案である手袋の第３実施例の正面図、図６は本考案である手袋の第３実施例のＣ−Ｃ線断面図である。
【００２２】
図５及び図６に示すように、本考案である手袋１ｂは、５本の指部（親指部２ａ、人差し指部２ｂ、中指部２ｃ、薬指部２ｄ、小指部２ｅ）を備えた手の平部２ｆと、前記手の平部２ｆに接続した手首部２ｇからなり、各指部２ａ〜２ｅ及び手の平部２ｆの厚みは手首部２ｇの厚みよりも薄い。
【００２３】
前記手首部２ｇは、開口部２ｈに向かうにつれて径が大きくなり末広がりとなっているが、実施例２でしめしたように径が一定であっても構わない。また、開口部２ｈについては実施例１及び実施例２と同様に波形であっても平坦であっても構わず、更にこれら以外であっても構わない。
【００２４】
以上のように、手袋１ｂは、手の平部２ｆ及び各指部２ａ〜２ｅが薄い素材でできているため、手袋１ｂを装着後も手全体で細かな動きをすることができる。
【実施例４】
【００２５】
図７は本考案である手袋の第４実施例の正面図、図８は本考案である手袋の第４実施例のＤ−Ｄ線断面図である。
【００２６】
図７及び図８に示すように、本考案である手袋１ｃは、５本の指部（親指部２ａ、人差し指部２ｂ、中指部２ｃ、薬指部２ｄ、小指部２ｅ）を備えた手の平部２ｆと、前記手の平部２ｆに接続した手首部２ｇからなり、前記各指部２ａ〜２ｅの指先２ｊの厚みは、指先２ｊ以外の各指部２ａ〜２ｅ、手の平部２ｆ及び手首部２ｇよりも薄い。
【００２７】
前記手首部２ｇは、開口部２ｈに向かうにつれて径が大きくなり末広がりとなっているが、実施例２でしめしたように径が一定であっても構わない。また、開口部２ｈについては実施例１〜実施例３と同様に波形であっても平坦であっても構わず、更にこれら以外であっても構わない。
【００２８】
上述のように、手袋１ｃは、指先２ｊが薄い素材でできているため、手袋１ｃを装着後も指先で細かな動きをすることができる。
【００２９】
尚、実施例１〜実施例４に示した各手袋１〜１ｃの手首部２ｇは、肘付近まで覆う長さとすることで、更に手袋を使用中に水等が入り込みにくくなる。
【００３０】
図９は本考案を使用した状態を示した図である。図９に示すように、本考案である手袋１〜１ｃは、食器洗浄などの水を使用する場面においては手首部２ｇがズレ落ちたり、捲れたりすることがないため、手袋内に水が入り込む心配がない。
【００３１】
また、指先２ｊ、指部２ａ〜２ｅ全体又は指部２ａ〜２ｅ及び手の平部２ｆのいずれかが薄い素材でできているため細かな作業をする場合も指先等を動かし易く、更に手や指に感触が伝わりやすいため、素手で作業している感覚で使用することができる。
【産業上の利用可能性】
【００３２】
本考案である手袋は、手の平から指先の全体又は指部若しくは指先が薄い素材であるため、手袋を装着した後も素手で作業をしている感覚に近く、また作業中に手首部がズレ落ちることや捲れることがないために水等が手袋内に入り込みにくく、水回りや精密機械を扱う工場などの手袋を使用する場面において有効である。
【符号の説明】
【００３３】
１    手袋
２    手袋本体
２ａ  親指部
２ｂ  人差し指部
２ｃ  中指部
２ｄ  薬指部
２ｅ  小指部
２ｆ  手の平部
２ｇ  手首部
２ｈ  開口部
２ｉ  空洞
２ｊ  指先
３    腕
４    皿
５    手袋
５ａ  手首
５ｂ  開口部
【図１】
0003153716.tif 000003
【図２】
0003153716.tif 000004
【図３】
0003153716.tif 000005
【図４】
0003153716.tif 000006
【図５】
0003153716.tif 000007
【図６】
0003153716.tif 000008
【図７】
0003153716.tif 000009
【図８】
0003153716.tif 000010
【図９】
0003153716.tif 000011
【図１０】
0003153716.tif 000012